(57)【要約】【課題】取り付け作業が迅速に行える封印具を提供する。【解決手段】計器ボックス１の開閉自在な蓋１１を閉じた状態に維持する固定具１２を該蓋１１の前面から突出した状態で備え、該固定具１２をそれに形成された被係止部１２Ｋを利用して封印するための封印具において、前記固定具１２を挿通できる開口部１３Ｋを備え、該開口部１３Ｋを通して該固定具１２側に移動させることにより該固定具１２の一部又は全部を覆うためのカバー部材１３と、該カバー部材１３の内部に備えられ、前記カバー部材１３の固定具１２側への移動により該固定具１２の被係止部１２Ｋに係止する係止部１４ａ，１４ａを備えた係止部材１４とを備えた。【選択図】図４
2011112505.tif 000002
【特許請求の範囲】
【請求項１】
計器ボックスの開閉自在な蓋を閉じた状態に維持する固定具を該蓋の前面から突出した状態で備え、該固定具をそれに形成された被係止部を利用して封印するための封印具において、
前記固定具を挿通できる開口部を備え、該開口部を通して該固定具側に移動させることにより該固定具の一部又は全部を覆うためのカバー部材と、該カバー部材の内部に備えられ、前記カバー部材の固定具側への移動により該固定具の被係止部に係止する係止部を備えた係止部材とを備えたことを特徴とする封印具。
【請求項２】
前記係止部材が、対向配置された一対の棒状部と、それら棒状部を長手方向中間部で連結する連結部とを備え、前記棒状部材の前記カバー部材の開口部側端に前記係止部を備え、前記棒状部は、係止部が互いに接近する側に付勢され、かつ、係止部とは反対側端部を互いに接近する側に操作することにより係止部が互いに離間するように構成され、前記カバー部材は、所定以上の外力が加えられることにより破壊される又は塑性変形する構成とし、その破壊又は塑性変形させる外力によって前記係止部が互いに離間されて被係止部との係止が解除されることを特徴とする請求項１に記載の封印具。
【請求項３】
前記固定具が、ロックピンからなり、前記被係止部が、該ロックピンの軸芯と直交する方向に形成された貫通孔からなり、該貫通孔の両端に前記一対の係止部がそれぞれ係止することにより前記カバー部材がロックピンに固定され、前記カバー部材と前記係止部材とは連結されていないフリーな状態になっていることを特徴とする請求項２に記載の封印具。
【請求項４】
前記固定具が、ロックピンからなり、前記被係止部が、該ロックピンの軸芯と直交する方向に形成された貫通孔からなり、該貫通孔の両端に前記一対の係止部がそれぞれ係止することにより前記カバー部材がロックピンに固定され、前記カバー部材と前記係止部材とが連結されており、前記貫通孔に前記一対の係止部が係止した状態において前記カバー部材を所定以上の操作力で回転させることにより該カバー部材と前記係止部材との連結が解除されることで、該カバー部材と該係止部材とが連結されていないフリーな状態になることを特徴とする請求項２に記載の封印具。
【請求項５】
前記カバー部材には、内部を視認可能な複数の窓用貫通孔を備え、所定以上の外力が加えられることにより、隣り合う窓用貫通孔同士の繋ぎ部分が破壊されることを特徴とする請求項２〜請求項４のいずれか１項に記載の封印具。
【請求項６】
前記カバー部材内には、前記ロックピンの貫通孔の向きを確認するためのターゲットラインが備えられ、前記窓用貫通孔を通してターゲットラインを視認することにより、該ロックピンの貫通孔に対するカバー部材の回転角度を調整しつつ該カバー部材を該ロックピン側へ移動させることを特徴とする請求項５に記載の封印具。
【発明の詳細な説明】
【技術分野】
【０００１】
本発明は、例えば電力量計などの取引用計器類を収容した計器ボックスの開閉自在な蓋を閉じた状態に維持する固定具が固定解除操作されて、蓋が不正に開放されることがないように取り付ける封印具に関する。
【背景技術】
【０００２】
第１の従来の封印具としては、例えば電力量計側に備えた一対の止め金具の挿通孔を利用して電力量の蓋の開放を阻止する構成のものがある。具体的には、一対の止め金具に挿通する線材と、線材の長手方向一端が連結され、線材の他端を前記一対の挿通孔に通してから挿通させるための挿着孔が備えられた線材係着部と、線材の長手方向複数箇所に一体化されて挿着孔に挿通可能な円錐状の被ロック部と、線材係着部の挿着孔に直交する方向から連通するように線材係着部の外部から貫通形成されたネジ付き穴と、ネジ付き穴内に螺着して挿着孔に入り込ませるためのボルト部と、ボルト部を回転操作するべくボルト部からネジ付き穴の外側に延出された操作部とを備えている。従って、線材を一対の止め金具に挿通した後、線材係着部の挿着孔から所定の被ロック部が挿通するように線材を挿着孔に挿通させる。この後、操作部を回転操作してボルト部の先端を線材係着部の挿着孔内の線材に食込ませることによって、被ロック部が挿着孔を通して逆戻りすることがないようにし、続いて操作部とボルト部との間に形成されている破断部を破断させることによって、操作部をボルト部から離脱させてボルト部を回転操作することができないようにしている（例えば、特許文献１）。
【０００３】
また、第２の従来の封印具は、電力計の計器ボックスを閉じた状態に維持する固定ネジのネジ頭部に嵌合する封印ネジ嵌合体と、封印ネジ嵌合体の内部に挿入することにより係止固定され、かつ、ネジ頭部の貫通孔に差し込む差込ピンを有する差込体とを備えている。従って、封印ネジ嵌合体を固定ネジのネジ頭部に嵌合してから、差込体を封印ネジ嵌合体の内部に挿入することによって、差込ピンが貫通孔に差し込まれるとともに差込体が封印ネジ嵌合体に係止固定されることで、差込体が封印ネジ嵌合体から抜かれることを阻止することができるようになっている（例えば、特許文献２）。
【先行技術文献】
【特許文献】
【０００４】
【特許文献１】特開２００７−７８４９４号公報（図１参照）
【特許文献２】特開２００８−２４９３７８号公報（図５参照）
【発明の概要】
【発明が解決しようとする課題】
【０００５】
特許文献１の封印具は、一対の止め金具の挿通孔に線材を通す作業の他に、線材係着部の挿着孔にも線材を通す作業を必要とする他、ボルト部の先端を線材係着部の挿着孔内の線材に食込ませる作業及び操作部をボルト部から取り外す破断作業を必要とし、作業時間が多くかかる煩わしい作業になっていた。特に、電力量計が作業性の悪い場所、例えば壁際、集合計器箱内の狭い場所、高所などに置かれている場合には、封印具の取り付け作業が更にやり難いだけでなく、作業時には、低圧ゴム手袋を着用しなければならないため、更に多くの時間がかかるものであった。
【０００６】
また、特許文献２の封印具は、封印ネジ嵌合体を固定ネジのネジ頭部に嵌める作業と、差込体を封印ネジ嵌合体に挿入する作業の２つの作業を必要とし、作業時間が多くかかるわずらわしい作業になっていた。前述したように、作業性の悪い場所、つまり壁際、集合計器箱内の狭い場所、高所などに電力量計が設置されている場合には、取り付け作業が更にやり難いだけでなく、作業時には、低圧ゴム手袋を着用しなければならないため、更に多くの時間がかかるものであり、改善の余地があった。
【０００７】
そこで、本発明は、上記問題に鑑みてなされたもので、取り付け作業が迅速に行える封印具を提供することを課題とする。
【課題を解決するための手段】
【０００８】
本発明の封印具は、上記課題を解決すべく構成され、計器ボックスの開閉自在な蓋を閉じた状態に維持する固定具を該蓋の前面から突出した状態で備え、該固定具をそれに形成された被係止部を利用して封印するための封印具において、前記固定具を挿通できる開口部を備え、該開口部を通して該固定具側に移動させることにより該固定具の一部又は全部を覆うためのカバー部材と、該カバー部材の内部に備えられ、前記カバー部材の固定具側への移動により該固定具の被係止部に係止する係止部を備えた係止部材とを備えたことを特徴としている。
【０００９】
上記構成によれば、カバー部材を固定具側に移動させることによって、固定具の一部又は全部がカバー部材により覆われるとともに、カバー部材の内部に備えた係止部材の係止部が固定具の被係止部に係止して、カバー部材が固定具から取り外されることを阻止することができる。
【００１０】
また、本発明の封印具は、前記係止部材が、対向配置された一対の棒状部と、それら棒状部を長手方向中間部で連結する連結部とを備え、前記棒状部材の前記カバー部材の開口部側端に前記係止部を備え、前記棒状部は、係止部が互いに接近する側に付勢され、かつ、係止部とは反対側端部を互いに接近する側に操作することにより係止部が互いに離間するように構成され、前記カバー部材は、所定以上の外力が加えられることにより破壊される又は塑性変形する構成とし、その破壊又は塑性変形させる外力によって前記係止部が互いに離間されて被係止部との係止が解除される構成であってもよい。
【００１１】
上記構成にすれば、所定以上の外力をカバー部材に加えることによって、カバー部材を破壊する又は塑性変形することで、破壊又は塑性変形されるカバー部材によって係止部が互いに離間操作されて被係止部との係止が解除され、封印具を固定具から取り外して計器ボックスの蓋を不正に開放することができる。しかしながら、カバー部材が破壊又は塑性変形されているため、カバー部材を固定具に再度装着しても、カバー部材が破壊又は塑性変形したままになっているため、カバー部材を見れば、カバー部材に所定以上の外力が加えられたことを把握することができる。
【００１２】
また、本発明の封印具は、前記固定具が、ロックピンからなり、前記被係止部が、該ロックピンの軸芯と直交する方向に形成された貫通孔からなり、該貫通孔の両端に前記一対の係止部がそれぞれ係止することにより前記カバー部材がロックピンに固定され、前記カバー部材と前記係止部材とは連結されていないフリーな状態になる構成であってもよい。
【００１３】
上記のように、カバー部材と前記係止部材とが連結されていないフリーな状態にしておけば、カバー部材を回転操作しても係止部材が共回りすることがなく、係止部材の係止部が貫通孔から外れることがない。
【００１４】
また、本発明の封印具は、前記固定具が、ロックピンからなり、前記被係止部が、該ロックピンの軸芯と直交する方向に形成された貫通孔からなり、該貫通孔の両端に前記一対の係止部がそれぞれ係止することにより前記カバー部材がロックピンに固定され、前記カバー部材と前記係止部材とが連結されており、前記貫通孔に前記一対の係止部が係止した状態において前記カバー部材を所定以上の操作力で回転させることにより該カバー部材と前記係止部材との連結が解除されることで、該カバー部材と該係止部材とが連結されていないフリーな状態になる構成であってもよい。
【００１５】
上記構成にすれば、カバー部材を固定具に装着するべく、固定具側へカバー部材を移動させる場合に、カバー部材と係止部材とが連結されていることから、カバー部材内の係止部材が不測に位置変更されることがなく、係止部材の係止部を固定具の貫通孔に確実に係止させることができる。そして、係止部材の係止部が貫通孔に係止した後は、カバー部材を所定以上の操作力で回転させてカバー部材と係止部材との連結を解除させることによって、カバー部材に対して係止部材が連結されていないフリーな状態にすることができるから、カバー部材を回転操作しても係止部材が共回りすることがなく、係止部材の係止部が貫通孔から外れることがない。
【００１６】
また、本発明の封印具は、前記カバー部材に、内部を視認可能な複数の窓用貫通孔が備えられ、所定以上の外力が加えられることにより、隣り合う窓用貫通孔同士の繋ぎ部分が破壊される構成であってもよい。
【００１７】
上記のように構成にすれば、隣り合う窓用貫通孔同士の繋ぎ部分が破壊されているか否かを確認するだけで、不正行為が行われたことを容易に確認することができる。
【００１８】
また、本発明の封印具は、前記カバー内には、前記ロックピンの貫通孔の向きを確認するためのターゲットラインを備え、前記窓用貫通孔を通してターゲットラインを視認することにより、該ロックピンの貫通孔に対するカバー部材の回転角度を調整しつつ該カバー部材を該ロックピン側へ移動させる構成であってもよい。
【００１９】
上記構成にすれば、窓用貫通孔を通してターゲットラインを視認することにより、ロックピンの貫通孔に対するカバー部材の回転角度を調整することで係止部材の係止部をロックピンの貫通孔に迅速に係止させることができる。
【発明の効果】
【００２０】
以上の如く、本発明は、カバー部材を固定具側に移動させるだけで、封印具を固定具に装着させることができる。従って、装着作業が迅速に行える封印具を提供することができる。
【図面の簡単な説明】
【００２１】
【図１】封止具が取り付けられた電力量計を示し、（ａ）はそれの正面図、（ｂ）はそれの側面図である。
【図２】封止具の分解斜視図である。
【図３】封止具を示し、（ａ）はそれの横断平面図、（ｂ）はそれの縦断側面図である。
【図４】封止具を固定具に取り付ける作業工程を示す縦断側面図を示し、（ａ）はカバー部材の前端が固定具の先端に差し掛かった状態を示し、（ｂ）は（ａ）の状態から更にカバー部材を固定具側へ移動させ係止部材の係止部が固定具で離間されている状態を示し、（ｃ）は係止部が固定具の貫通孔に係止した状態を示している。
【図５】（ａ），（ｂ），（ｃ）は図４（ａ），（ｂ），（ｃ）において断面にした封止具を断面にしない状態、つまり封止具を側面図で示した３状態を示している。
【図６】（ａ），（ｂ），（ｃ）はペンチで封止具を取り外す作業工程を示す側面図である。
【図７】他の封印具を示し、（ａ）はそれの横断平面図、（ｂ）はそれの縦断側面図、（ｃ）はそれの側面図である。
【図８】（ａ），（ｂ）は他の係止部材を示す斜視図である。
【図９】（ａ），（ｂ）は他の固定具の被係止部に係止部が係止している状態を示す側面図である。
【発明を実施するための形態】
【００２２】
以下、本発明に係る封印具について、図面を参酌しつつ説明する。
この封印具Ａは、図１（ａ），（ｂ）に示す計器ボックス１の端子蓋１１が不正に開放されることを阻止するために用いられるものである。
【００２３】
前記計器ボックス１は、消費電力を計測して表示する縦長状の本体部３と、この本体部３に電源からの入力線及び負荷に接続される出力線を接続するための横長状の端子部４とを備えている。前記本体部３は、消費電力に応じて回転する計測用円盤５や計測された電力を表示する表示部６を備えたベース部７と、ベース部７の前方の開口部を覆う透明なガラスカバー８とを備え、ベース部７とガラスカバー８とが左右一対の封印キャップ９，９にて封印されている。また、前記端子部４は、端子が収納された収納部１０と、収納部１０の前方の開口部を覆う開閉自在な蓋としての前記端子蓋１１とを備え、端子蓋１１は、固定具としてのロックピンとしての左右一対のロックネジ１２により収納部１０にねじ込み固定されている。
【００２４】
前記各ロックネジ１２は、前記収納部１０に備えた螺合部にねじ込まれるネジが形成されたネジ部（図示せず）と、このネジ部にそれの軸方向に連設された円柱状の頭部１２Ａとを備え、ネジ部をねじ込んだ状態において頭部１２Ａが端子蓋１１の前面から突出した状態になっている。また、ロックネジ１２の頭部１２Ａの軸方向中間部には、軸芯方向と直交する方向の被係止部としての貫通孔１２Ｋが形成されており、図１（ａ），（ｂ）に示すように、一方（図では左側）のロックネジ１２の貫通孔１２Ｋを利用して端子蓋１１を封印具Ａにて封印している。ここでは一方のロックネジ１２のみに封印具Ａを装着しているが、他方（図では右側）のロックネジ１２にも封印具Ａを装着してもよい。
【００２５】
前記封印具Ａは、図２〜図５に示すように、前記ロックネジ１２を挿通できる開口部１３Ｋを備え、該開口部１３Ｋを通してロックネジ１２側に移動させることによりロックネジ１２のほぼ全部（一部又は全部でもよい）を覆うためのカバー部材１３と、カバー部材１３の内部に備えられ、カバー部材１３のロックネジ１２側への移動によりロックネジ１２の貫通孔１２Ｋに係止する一対の係止部１４ａ，１４ａを備えた係止部材１４とを備えている。
【００２６】
前記係止部材１４が、対向配置された断面が矩形状の一対の棒状部１４Ａ，１４Ａと、それら棒状部１４Ａ，１４Ａを長手方向中間部で連結する円形で板状の連結部１４Ｂとを備え、前記棒状部１４Ａ，１４Ａの一端に互いに接近する側に突出する前記係止部１４ａ１４ａを備えている。これら棒状部１４Ａ，１４Ａと連結部１４Ｂとが一体形成されていてもよいし、棒状部１４Ａ，１４Ａと連結部１４Ｂとを別体形成し、連結部１４Ｂに形成された一対の貫通孔に棒状部１４Ａ，１４Ａを挿通させることによって、係止部材１４を構成してもよい。また、前記棒状部１４Ａ，１４Ａの係止部１４ａ，１４ａが互いに接近するように棒状部１４Ａ，１４Ａと連結部１４Ｂとの間にそれぞれコイルスプリング１５が取り付けられ、コイルスプリング１５の付勢力に抗して係止部１４ａ，１４ａとは反対側の棒状部１４Ａ，１４Ａの端部を互いに接近する側に操作することにより、係止部１４ａ，１４ａを互いに離間するように構成されている。尚、棒状部１４Ａ，１４Ａが弾性復元力を有する材料で構成した場合には、前記コイルスプリング１５を省略して実施することもできる。コイルスプリング１５，１５の一端は、棒状部１４Ａ，１４Ａに備えたスプリング受け１４Ｃ，１４Ｃに引っ掛けられ、他端は図示していないが、連結部１４Ｂの前側端面に備えたスプリング受けに引っ掛けられている。
【００２７】
前記係止部１４ａ，１４ａは、先端部に互いに接近する側ほど後側に位置する傾斜面１４ｔ，１４ｔを備えており、図４（ａ）から係止部１４ａ，１４ａの傾斜面１４ｔ，１４ｔがロックネジ１２の前端に当接したときに、該傾斜面１４ｔ，１４ｔの案内作用により係止部１４ａ，１４ａを離間する側に徐々に移動させることができるから、係止部１４ａ，１４ａをスムーズかつ確実に離間する側に移動させることができる。
【００２８】
前記カバー部材１３は、円形の後側板部１３Ａと、この後側板部１３Ａの外周縁から前方に延び、前方側ほど大きな直径を有する円筒状板部１３Ｂと、この円筒状板部１３Ｂの前端の内周縁から内側に延びることによって前端に形成される開口を狭くするための円環状の前板部１３Ｃとを備えている。前記円筒状板部１３Ｂの内面のうちの軸方向ほぼ中央部に環状の溝部１３Ｖが形成されていて、前記係止部材１４をカバー部材１３内に挿入した後、リング部材Ｒを溝部１３Ｖに嵌め込むことにより、図３（ｂ）に示すように、連結部１４Ｂの前端面１４ｂがリング部材Ｒの後端面ｒに当接し、係止部材１４の後端が後側板部１３Ａの内面に当接することで、カバー部材１３内で係止部材１４が軸方向に移動することがないようにしている。また、リング部材Ｒをカバー部材１３内に備えさせることによって、カバー部材１３自体の保形性も高めることができるようにしている。また、前記カバー部材１３は、所定以上の外力が加えられることにより破壊される発泡金属又は発泡樹脂などから構成されており、後述するようにその破壊力によって前記係止部１４ａ，１４ａが互いに離間されてロックネジ１２との係止が解除できるようになっている。
【００２９】
前記係止部材１４は、前記カバー部材１３内に単に挿入されているだけであるため、カバー部材１３と係止部材１４とが連結されていないフリーな状態になっている。つまり、カバー部材１３を回転操作しても、係止部材１４の係止部１４ａ，１４ａがロックネジ１２の貫通孔１２Ｋに係止している状態において、カバー部材１３が回転するだけで、係止部材１４はカバー部材１３と共回りしないように構成されている。
【００３０】
また、図６に示すように、前記カバー部材１３の周方向において点対称となる２箇所のそれぞれに、内部を視認可能な複数（図では３個）の窓用貫通孔１３ａ，１３ｂ，１３ｃを軸方向に沿って形成し、所定以上の外力が加えられることにより、隣り合う窓用貫通孔同士の繋ぎ部分１３ｄ，１３ｅが破壊されることにより、係止部１４ａ，１４ａを互いに離間操作することができるようになっている。
【００３１】
前記のように構成された封印具Ａをロックネジ１２に装着してロックネジ１２を封印する手順について説明する。
まず、図４（ａ）及び図５（ａ）に示すように、封印具Ａをロックネジ１２に向けて移動させ、封印具Ａのカバー部材１３の開口部１３Ｋを挿通させる。続いて、封印具Ａをロックネジ１２側に移動させることによって、図４（ｂ）及び図５（ｂ）に示すように、係止部１４ａ，１４ａの先端がロックネジ１２の前端に当接することで、係止部１４ａ，１４ａが互いに離間する側へ移動する。この状態で更に、封印具Ａをロックネジ１２側に移動させることによって、図４（ｃ）及び図５（ｃ）に示すように、貫通孔１２Ｋに係止部１４ａ，１４ａが係止してロックネジ１２への封印具Ａの装着が完了する。この状態では、カバー部材１３を回転操作しても、係止部材１４が共回りすることがなく、係止部１４ａ，１４ａの係止が解除されることがない。尚、封印具Ａをロックネジ１２側に移動させる際には、カバー部材１３の窓用貫通孔１３ａ，１３ｂ，１３ｃを通してロックネジ１２の貫通孔１２Ｋに対する係止部１４ａ，１４ａの位置を確認しつつカバー部材１３の回転角度を調整すれば、ロックネジ１２の貫通孔１２Ｋに係止部１４ａ，１４ａを迅速に係止させることができる。
【００３２】
このように封印具Ａをロックネジ１２側へ移動させるだけで封印具Ａをロックネジ１２に装着することができるから、特に、作業性の悪い場所、例えば壁際、集合計器箱内の狭い場所、高所などに計器ボックス１が設置されている場合でも、迅速に封印具Ａをロックネジ１２に装着することができる。しかも装着作業時には、低圧ゴム手袋を着用しているが、封印具Ａをロックネジ１２側へ移動させる作業に支承を来たすことがなく、迅速かつ容易に作業を行うことができる。
【００３３】
次に、装着された封印具Ａをロックネジ１２から取り外す場合について説明する。
図６（ａ）に示すように、封印具Ａのカバー部材１３の後端の上下にペンチ１６の一対の挟持部１６Ａ，１６Ｂを位置させる。続いて図６（ｂ）に示すように挟持部１６Ａ，１６Ｂでカバー部材１３を上下方向から強く挟み込み、カバー部材１３に所定以上の外力が加えられる。このことにより、隣り合う窓用貫通孔１３ａ，１３ｂ，１３ｃ同士の繋ぎ部分１３ｄ，１３ｅ及びカバー部材１３の前端と前側の窓用貫通孔１３ａとの間の部分１３ｆが破壊されるとともに、カバー部材１３が上下方向から押し潰されることによって、カバー部材１３内の係止部材１４の係止部１４ａ，１４ａを互いに離間操作してロックネジ１２の貫通孔１２Ｋとの係止を解除する。この係止解除状態を維持したまま、ロックネジ１２から離間する側に移動させることにより、封印具Ａをロックネジ１２から取り外すことができる（図６（ｃ）参照）。前記のように隣り合う窓用貫通孔１３ａ，１３ｂ，１３ｃ同士の繋ぎ部分１３ｄ，１３ｅ及びカバー部材１３の前端と前側の窓用貫通孔１３ａとの間の部分１３ｆが破壊される構成とすることによって、小さな力でカバー部材１３を容易に破壊することができる。
【００３４】
装着された封印具Ａをロックネジ１２から取り外す場合には、前記繋ぎ部分１３ｄ，１３ｅ及び前記部分１３ｆを破壊しなければならないことから、装着された封印具Ａをロックネジ１２から取り外してからロックネジ１２を外し、端子蓋１１を開放して配線を変更するなどの不正行為を行った後、再度封印具Ａをロックネジ１２に装着しても、繋ぎ部分１３ｄ，１３ｅ及び部分１３ｆが破壊されたままであるため、電力量の検針時などに目視すれば不正行為が行われたことを直ちに把握することができる。
【００３５】
尚、本発明は、上記実施形態に限定されるものではなく、本発明の要旨を逸脱しない範囲で種々の変更が可能である。
【００３６】
上記実施形態では、カバー部材１３内に前記係止部材１４が挿入されているだけで、カバー部材１３と係止部材１４とが連結されていないフリーな状態にしたが、図７（ａ），（ｂ），（ｃ）に示すように、２枚の板状の合成樹脂製のリング部材１７，１８を用いてカバー部材１３と係止部材１４とを連結し、ロックネジ１２の貫通孔１２Ｋに係止部１４ａ，１４ａが係止した状態においてカバー部材１３を所定以上の操作力で回転させることによりカバー部材１３と係止部材１４との連結が解除されることで、カバー部材１３と係止部材１４とが連結されていないフリーな状態になるようにしてもよい。具体的には、前記２枚の板状の合成樹脂製のリング部材１７，１８が、周方向の所定箇所（１箇所でもよいが、複数箇所が好ましい）で薄肉部１９を介して連結され、一方のリング部材１７をカバー部材１３の溝部１３Ｖに嵌り込んだリング部材Ｒの後端面ｒに接着剤などを用いて固定し、他方のリング部材１８を係止部材１４の連結部１４Ｂの外周縁の前端面１４Ｒに接着剤などを用いて固定している。従って、封印具Ａを装着する際には、リング部材１７，１８でカバー部材１３と係止部材１４とが連結されていることから、カバー部材１３に対する係止部材１４の位置が不測に変化することがなく、係止部材１４の係止部１４ａ，１４ａをロックネジ１２の貫通孔１２Ｋに確実に係止させることができる。そして、係止部材１４の係止部１４ａ，１４ａが貫通孔１２Ｋに係止した後は、カバー部材１３を所定以上の操作力で回転させることによって、リング部材１７，１８を連結している薄肉部１９が破断されることで、カバー部材１３と係止部材１４との連結が解除される。その結果、カバー部材１３と係止部材１４とが連結されていないフリーな状態にすることができるから、カバー部材１３を回転操作しても係止部材１４が共回りすることがなく、係止部材１４の係止部１４ａ，１４ａが貫通孔１２Ｋから外れることがない。
【００３７】
また、図７（ａ），（ｂ），（ｃ）に示すように、カバー部材１３内に、ロックネジ１２の貫通孔１２Ｋの向きを確認するためのターゲットラインとしての一対の棒状部２０，２０を備え、前記窓用貫通孔１３ａ，１３ｂ，１３ｃを通してターゲットライン２０，２０を視認することにより、ロックネジ１２の貫通孔１２Ｋに対するカバー部材１３の回転角度を調整しつつカバー部材１３をロックネジ側へ移動させることによって、ロックネジ１２の貫通孔１２Ｋに係止部１４ａ，１４ａを迅速に係止させることができる。具体的には、図７（ｃ）に示すように、一対の棒状部２０，２０が水平方向において重複する状態になるようにカバー部材１３の回転角度を維持しながらロックネジ側へ移動させることになる。尚、ターゲットラインは、カバー部材１３の内部に備えさせる他、カバー部材１３の外面に塗料などでマーキングしたものであってもよい。また、図７（ａ），（ｂ），（ｃ）に示すように、カバー部材１３の後端面に蓄光テープ２３を貼り付けておけば、夜間などにおいても封印具Ａが破壊されているかどうかの封印具Ａの状態確認を容易に行うことができる。
【００３８】
また、上記実施形態では、一対の棒状部１４Ａ，１４Ａを連結する連結部１４Ｂを円板状に構成したが、図８（ａ），（ｂ）に示すように構成してもよい。図８（ａ）では、一対の棒状部１４Ａ，１４Ａをそれらの対向面同士を連結する棒状の連結部１４Ｄから構成している。尚、連結部１４Ｄの長手方向中央部には、連結部１４Ｄと直交する方向（図では上下方向）に延びてカバー部材１３の内面に当接することで係止部材１４をカバー部材１３内で位置決めする一対の位置決め部１４Ｅ，１４Ｆを備えている。また、図８（ｂ）では、板状でリング状の連結部１４Ｇから構成し、この連結部１４Ｇの貫通孔１４ｇに一対の棒状部１４Ａ，１４Ａを連結している。このように図８（ａ），（ｂ）に示すように、一対の棒状部１４Ａ，１４Ａの一部を連結部で連結する構成にすることによって、棒状部１４Ａ，１４Ａが離間及び接近する側へ動き易い利点がある。
【００３９】
また、上記実施形態では、被係止部を貫通孔１２Ｋにしたが、図９（ａ）に示すように、円柱状の軸部２１Ａと軸部２１Ａの先端に備え軸部２１Ａよりも大径な寸法を有する円柱状の頭部２１Ｂとからなる頭付ピン２１から構成してもよい。この場合、封印具（係止部１４ａ，１４ａのみ図示）を頭付ピン２１に移動させることによって、係止部１４ａ，１４ａが頭部２１Ｂを乗り越えて軸部２１Ａに当接するように接近して封印具の装着が完了するようにしている。そして、封印具を取り外すために封印具を頭付ピン２１から離間させると、係止部１４ａ，１４ａの後端面１４ｄが頭部２１Ｂの後端面２１ｂに当接して封印具が頭付ピン２１から離間することが阻止される。また、図９（ｂ）に示すように、外周面にネジが形成されたネジ部材２２から構成してもよい。この場合、ネジ部材２２の谷部２２Ａに係止部材１４の係止部１４ａ，１４ａが係止するように係止部１４ａ，１４ａの形状を合わせることになる。
【００４０】
また、上記実施形態では、固定具をロックネジ１２から構成したが、収納部１０に備えた被係止部に係止する係止部を備えたロックピンから構成してもよい。
【００４１】
また、上記実施形態では、カバー部材１３に所定以上の外力が加えられることによりカバー部材１３が破壊される場合を示したが、カバー部材を塑性変形する材料で構成して、カバー部材１３が塑性変形されている場合に、不正行為が行われたと判断するようにしてもよい。
【００４２】
また、上記実施形態では、封印具を端子蓋１１が不正に開放されることを阻止するために用いたが、ガラスカバー８が不正に開放されることを阻止するために用いてもよいし、また、本発明は、適宜の大きさに構成されたベース部７の表面に取り付ける表面取付タイプの電力量計に適用できる他、分電盤などの表面に埋め込む埋込み取付タイプの電力量計であってもよいし、電子式の電力量計などの各種の電力量計にも適用することができる。
【符号の説明】
【００４３】
１…計器ボックス、３…本体部、４…端子部、５…計測用円盤、６…表示部、７…ベース部、８…ガラスカバー、９…封印キャップ、１０…収納部、１１…端子蓋、１２…ロックネジ（固定具）、１２Ａ…頭部、１２Ｋ…貫通孔（被係止部）、１３…カバー部材、１３Ａ… 後側板部、１３Ｂ…円筒状板部、１３Ｃ…前板部、１３Ｋ…開口部、１３Ｖ…溝部、１３ａ，１３ｂ，１３ｃ…窓用貫通孔、１３ｄ，１３ｅ，１３ｆ…部分、１４…係止部材、１４Ａ…棒状部、１４Ｂ，１４Ｄ，１４Ｇ…連結部、１４Ｅ，１４Ｆ…位置決め部、１４ａ…係止部、１４ｄ…後端面、１４ｇ…貫通孔、１４ｔ…傾斜面、１５…コイルスプリング、１６…ペンチ、１６Ａ，１６Ｂ…挟持部、１７，１８…リング部材、１９…薄肉部、２０…棒状部（ターゲットライン）、２１…頭付ピン、２１Ａ…軸部、２１Ｂ…頭部、２１ｂ…後端面、２２…ネジ部材、２２Ａ…谷部、２３…蓄光テープ、Ａ…封印具、Ｒ…リング部材
【図１】
2011112505.tif 000003
【図２】
2011112505.tif 000004
【図３】
2011112505.tif 000005
【図４】
2011112505.tif 000006
【図５】
2011112505.tif 000007
【図６】
2011112505.tif 000008
【図７】
2011112505.tif 000009
【図８】
2011112505.tif 000010
【図９】
2011112505.tif 000011